(57)【要約】      （修正有）【課題】多層建築構造における揚水供給ネットワーク配管システムにおいて、配管施工性をきわめて容易に行うことができるようにする。【解決手段】高層ホテル等の多層建築構造物の上位階と下位階に循環水路11,12を形成し、給水ユニット10と循環水路11との間には給水の供給配管13を設け、また循環水路12と給水ユニット10との間には給水の帰還配管14を設け、更に上位階の循環水路11と下位階循環水路12との間には給水の分給配管15a,15bを垂設し、分給配管15a,15bには各階に給水を供給する枝管16a,16b,16c,16d,16e,16fを接続する。【選択図】    図１
2005213850.tif 000002
【特許請求の範囲】
【請求項１】
多層建築構造物の上位階に循環水路を形成し、用水の供給装置と該循環水路との間には用水の供給配管を設け、更に該循環水路には１又は２以上の分給配管を垂設し、該分給配管には各階に用水を供給する枝管を接続したことを特徴とする多層建築構造物における用水供給ネットワーク配管システム。
【請求項２】
多層建築構造物の上位階と下位階に環状水路を形成し、用水の供給装置と上記上位階乃至下位階の一方の循環水路との間には用水の供給配管を設け、また上記上位階乃至下位階の他方の循環水路と用水の供給装置との間には用水の帰還配管を設け、更に上記上位階の循環水路と下位階循環水路との間には１又は２以上の分給配管を垂設し、該分給配管には各階に用水を供給する枝管を接続したことを特徴とする多層建築構造物における用水供給ネットワーク配管システム。
【請求項３】
用水が洗浄用水、飲料水、沐浴用の冷水、温水、暖房用のボイラーである請求項１又は２記載のシステム。
【発明の詳細な説明】
【技術分野】
【０００１】
この発明は、高層ホテル等の多層建築構造物における各階の客室等に洗浄用水或いは飲料水等の給水、温水乃至暖房用蒸気等の用水を供給するシステムに関するものである。
【背景技術】
【０００２】
従来高層ホテル等の各階の客室等に洗浄用水或いは飲料水等の給水、温水乃至暖房水等の用水を供給するシステムとしては、屋上階に設けられた高架水槽或いはボイラーより配管を垂設し、該配管には各階の客室等に用水を供給する枝管を接続し、高架水槽或いはボイラーからの洗浄用水或いは飲料水等の給水、温水乃至暖房水等の用水はこれらの配管、枝管を通して各階の客室等に供給することが行われている。
【特許文献１】特開2000-240956
【発明の開示】
【発明が解決しようとする課題】
【０００３】
しかし、このような用水の供給システムでは屋上階においては水圧が高く、下位階に往くに従って水圧が低くなり、このため配管は高い水圧に合わせて径が大きな塩化ビニル管、金属管等が使用されているが、これらの管は径が大きく、且つ剛性であるため、極めて配管施工が困難であるという欠点がある。
【課題を解決するための手段】
【０００４】
この発明は、上記実情に鑑み、多層建築構造物の上位階に循環水路を形成し、用水の供給装置と該循環水路との間には用水の供給配管を設け、更に該循環水路には１又は２以上の分給配管を垂設し、該配管には各階に用水を供給する枝管を接続した高層ホテル等の多層建築構造物における用水供給ネットワーク配管システムを提案するものである。
【０００５】
この発明では高層ホテル等の上位階に循環水路を形成し、該循環水路に供給装置より配管を通して用水を供給し、水路内を循環する用水は分給配管を通して流下させ、更にこれに接続される枝管を通して各階に供給される。
【０００６】
即ち、この発明では用水の供給装置と分給配管との間に循環水路を介在させ、供給装置からの用水を一旦循環水路に供給し、これより分給配管に送られるため、各配管を通る水圧は一定に保たれ、径が小さく、且つ可撓性のあるポリブテン管等を使用することができるため、配管の施工を極めて容易に行うことができる。
【０００７】
なお、循環水路は多層建築構造物の上位階と下位階の２箇所に設けてもよく、この場合は、用水の供給装置と上記上位階乃至下位階の一方の循環水路との間には用水の供給配管を設け、また上記上位階乃至下位階の他方の循環水路と用水の供給装置との間には用水の帰還配管を設け、更に上記上位階の循環水路と下位階循環水路との間には１又は２以上の分給配管を垂設し、該分給配管には各階に用水を供給する枝管を接続する構成を採用することができる。
【０００８】
この場合、用水は供給装置より例えば上位階の循環水路に供給され、水路内を循環して順次分給配管を通して流下し、この用水は下位階の循環水路に集められ、これより供給装置に戻されて循環される。
【０００９】
この構成では上位階の１箇所に循環水路を設けた構成に較べて、上位階と下位階の２箇所に循環水路が設けられ、上位階と下位階の循環水路との間に分給配管が設けられているため、分給配管に接続される枝管を通して各階に供給される用水の水圧を更に一定に保つことができる。
【００１０】
この発明で使用する用水としては、洗浄用水、飲料水、沐浴用の冷水、温水、暖房用の温水等を挙げることができる。
【００１１】
また、用水の供給装置としては、循環ポンプを内蔵した水槽、給水ユニット、給湯ユニット、暖房ボイラーユニット等を挙げることができる。
【発明の効果】
【００１２】
即ち、この発明では各配管を通る水圧は一定に保たれるため、従来に較べて径が小さく、且つ可撓性のあるポリブテン管等を配管として使用することができ、したがって配管の施工を極めて容易に行うことができる。
【００１３】
更に、従来用水の供給装置は高層ホテルの屋上等に設置する高架設置方式が採用されていたが、この発明では循環水路により配管を流れる用水の水圧は一定に保たれるため、低位階に設置しても十分にその機能を果たすことができる。
【発明を実施するための最良の形態】
【００１４】
多層建築構造物の上位階と下位階に環状水路を形成し、用水の供給装置と上記上位階乃至下位階の一方の循環水路との間には用水の供給配管を設け、また上記上位階乃至下位階の他方の循環水路と用水の供給装置との間には用水の帰還配管を設け、更に上記上位階の循環水路と下位階循環水路との間には１又は２以上の分給配管を垂設し、該分給配管には各階に用水を供給する枝管を接続した多層建築構造物における用水供給ネットワーク配管システム。
【実施例１】
【００１５】
以下、この発明を図示の実施例に基づいて詳細に説明すると、図１は高層ホテルにおける用水供給システムを示すもので、１は１階に設置された洗浄水用受水槽、２は屋上に設置された洗浄水用高架水槽、３は最上階に設けられた洗浄水用循環水路、４は高架水槽２と循環水路３との間に設けられた洗浄水の供給配管、5a,5bは循環水路３から垂設された洗浄水の分給配管、6a,6b,6c,6d,6e,6fは分給配管5a,5bから分岐して各階の客室等に洗浄水を供給するための枝管である。
【００１６】
受水槽１の洗浄水は洗浄水用の揚水管７を通って高架水槽２に供給され、高架水槽２からは配管４を通って循環水路３に供給され、循環水路３からは配管5a,5bに分給され、配管5a,5bを流下する洗浄水は枝管6a,6b,6c,6d,6e,6fから各階の客室等に供給される。
【００１７】
８は地下階に設置された上水用受水槽、９は屋上に設置された上水用高架水槽、10は給水、給湯、暖房用ボイラーユニット、11は屋上階に設けられた給水用第一循環水路、12は２階に設けられた給水用第二循環水路、13はユニット10内の給水部と第一循環水路11との間に設けられた給水の供給配管、14は第二循環水路12とユニット10内の給水部を結ぶ給水の帰還配管、15a,15bは第一循環水路11と第二循環水路12との間に垂設された給水の分給配管、16a,16b,16c,16dは分給配管15a,15bから分岐して各階の客室等に給水を供給するための枝管である。
【００１８】
受水槽８の上水は上水用の揚水管17を通って高架水槽９に供給され、高架水槽９からユニット10に供給され、それぞれ給水用、給湯用、暖房ボイラー用として使用される。
【００１９】
このうちユニット10の給水部からは給水が配管13を通って第一循環水路11に供給され、第一循環水路11からは配管15a,15bに分給され、配管15a,15bを流下する給水は枝管16a,16b,16c,16dから各階の客室等に供給される。
【００２０】
また、配管15a,15bを流下する給水は第二循環水路12に集められ、第二循環水路12に集められた給水は配管14を通ってユニット10内の給水部に戻される。
【００２１】
更に、18は屋上階に設けられた給湯用第一循環水路、19は２階に設けられた給湯用第二循環水路、20はユニット10内の給湯部と第一循環水路18との間に設けられた給湯の供給配管、21は第二循環水路19とユニット10内の給湯部を結ぶ給湯の帰還配管、22a,22bは第一循環水路18と第二循環水路19との間に垂設された給湯の分給配管、23a,23b,23c,23d,23e,23fは分給配管22a,22bから分岐して各階の客室等に給湯を供給するための枝管である。
【００２２】
ユニット10の給湯部からは給湯が配管20を通って第一循環水路18に供給され、第一循環水路18からは配管22a,22bに分給され、配管22a,22bを流下する給湯は枝管23a,23b,23c,23d,23e,23fから各階の客室等に供給される。
【００２３】
また、配管22a,22bを流下する給湯は第二循環水路19に集められ、第二循環水路19に集められた給湯は配管21を通ってユニット10内の給湯部に戻される。
【００２４】
更に、24は屋上階に設けられた暖房用第一循環水路、25は１階に設けられた暖房用第二循環水路、26はユニット10内の暖房ボイラー部と第二循環水路25との間に設けられたボイラーの供給配管、27は第一循環水路24とユニット10内の暖房ボイラー部を結ぶボイラーの帰還配管、28a,28bは第一循環水路24と第二循環水路25との間に垂設されたボイラーの分給配管、29a,29b,29c,29d,29e,29fは分給配管28a,28bから分岐して各階の客室等のラジエター（コンベクター）に温水を供給するための枝管である。
【００２５】
ユニット10の暖房ボイラー部からは温水が配管26を通って第二循環水路25に供給され、第二循環水路25からは配管28a,28bに分給され、配管28a,28bを上昇する温水は枝管29a,29b,29c,29d,29e,29fから各階の客室等に供給される。
【００２６】
また、配管28a,28bを上昇する温水は第一循環水路24に集められ、第一循環水路24に集められた温水は配管27を通ってユニット10内の暖房ボイラー部に戻される。
【産業上の利用可能性】
【００２７】
この発明によれば高層ホテル等の用水供給システムにおいてポリブテン管等の細い径の配管を使用することができるため、配管施工が極めて容易に行うことができる。
【図面の簡単な説明】
【００２８】
【図１】この発明の一実施例を示す高層ホテルにおける用水供給システムの説明図
【符号の説明】
【００２９】
１は洗浄水用受水槽
２は洗浄水用高架水槽
３は洗浄水用循環水路
４は洗浄水の供給配管
5a,5bは洗浄水の分給配管
6a,6b,6c,6d,6e,6fは洗浄水用枝管
７は洗浄水用の揚水管
８は上水用受水槽
９は上水用高架水槽
10は給水、給湯、暖房用ボイラーユニット
11は給水用第一循環水路
12は給水用第二循環水路
13は給水の供給配管
14は給水の帰還配管
15a,15bは給水の分給配管
16a,16b,16c,16dは給水の枝管
17は上水用の揚水管
18は給湯用第一循環水路
19は給湯用第二循環水路
20は給湯の供給配管
21は給湯の帰還配管
22a,22bは給湯の分給配管
23a,23b,23c,23d,23e,23fは給湯の枝管
24は暖房用第一循環水路
25は暖房用第二循環水路
26はボイラーの供給配管
27はボイラーの帰還配管
28a,28bはボイラーの分給配管
29a,29b,29c,29d,29e,29fはボイラーの枝管
【図１】
2005213850.tif 000003